(57)【要約】【課題】騙し穴をレバータンブラーに形成したシリンダ錠の鍵の複製用具を提供する。【解決手段】各レバータンブラー１１の付勢方向を調べる第１器具３０と、前記各レバータンブラー１１のうち第１方向Ｒ１および第２方向Ｒ２に付勢された第１および第２タンブラー群を群ごとに円周方向に蹴る第２器具４０と、前記第２器具４０で蹴られていない側のレバータンブラー１１を複数段階で回転させて当該レバータンブラー１１の位置を確定するための第３器具５０と、前記第３器具５０を挿入した状態で、解錠切欠９および騙し穴１９に入り込むプローブ６０とを備える。【選択図】図４
0003140537.tif 000002
【実用新案登録請求の範囲】
【請求項１】
内周面の母線に沿ってカム溝を形成した外筒と、
この外筒に回転自在に嵌合し、中心軸線に沿って鍵孔を貫通させた内筒と、
この内筒の母線に沿って延在し、内筒の外周部において半径方向に移動可能に案内されると共に、上記カム溝と係合する外側縁が外方に突出する方向に付勢されたロッキングバーとを有し、
上記内筒内に、夫々全体の形状が略Ｃ字形で一端部を支軸に揺動自在に軸支され、鍵孔に挿入された合鍵の側端縁と干渉する方向に付勢されると共に、常態では内筒を軸線方向に貫通するバックアップピンに係止され、かつ自由端部外側端縁にロッキングバーの内側縁を受入れる解錠切欠を形成したレバータンブラーの複数を鍵孔に沿って列設し、
これらのレバータンブラーのうち少なくとも１個のレバータンブラーの、円周方向において解錠切欠とは異なる角度位置に騙し穴を透設したシリンダ錠の検知治具において、
前記各レバータンブラーの付勢方向を調べる第１器具と、
前記各レバータンブラーのうち第１および第２方向に付勢された第１および第２タンブラー群を群ごとに円周方向に蹴る第２器具と、
前記第２器具で蹴られていない側のレバータンブラーを予め設定された複数段階に回転させて当該レバータンブラーの位置を確定するための第３器具と、
前記第３器具を挿入した状態で、前記解錠切欠および騙し穴に入り込むプローブとを備えたシリンダ錠の検知治具セット。
【考案の詳細な説明】
【技術分野】
【０００１】
この考案は、シリンダ錠の検知治具セットに係り、特に、不正解錠に対する抵抗性を高め安全性を向上させたシリンダ錠の検知治具セットに関する。
【背景技術】
【０００２】
シリンダ錠には種々の形式のものがあるが、その一つであるレバータンブラー錠は、図１及び図２に示すように、内周面の母線に沿ってカム溝１を形成した外筒２と、この外筒に回転自在に嵌合し、間隙を介して中心軸線方向に積層された複数の仕切板３、３を設けると共に、中心軸線に沿って鍵孔４を貫通させた内筒５と、この内筒５の母線に沿って延在し、内筒の外周部において半径方向に移動可能に案内されると共に、上記カム溝１と係合する外側縁が外方に突出する方向に付勢されたロッキングバー６とを有している。
【０００３】
また、仕切板３、３の間の各スロット７に、夫々全体の形状が略Ｃ字形で一端部を揺動自在に軸支され、鍵孔に挿入された鍵の側端縁と干渉する方向に付勢されると共に、常態では内筒を軸線方向に貫通するバックアップピン８に係止され、かつ自由端部外側端縁にロッキングバー６の内側縁を受入れる解錠切欠９を形成したレバータンブラー１１が挿設されている。
【０００４】
そして、これらのタンブラー群１１、１１Ｌ、１１Ｒの夫々が鍵孔に挿通された合鍵の対応する鍵溝と係合したとき、各レバータンブラー１１の解錠切欠９がロッキングバー６の内側縁と整合する（図示せず）ように構成されている。
【０００５】
したがって、合鍵を鍵孔４に挿入して内筒５を外筒２内で相対的に回動させると、カム溝１とロッキングバー６との間に生じる楔作用による、ロッキングバー６の内筒中心軸方向への移動が可能になり、換言すればレバータンブラー錠は解錠状態となって内筒５は解錠方向に回動する。
【０００６】
なお、図１及び図２において、符号１２はレバータンブラー１１、１１の一端を共通に貫通してこれらを回動自在に支承する支軸を示す。
【０００７】
また、図２において符号１８はレバータンブラー１１を付勢する板ばねである。
【０００８】
上記した構成のレバータンブラー錠は、作動の確実性及び使用感が優れていることから、住戸の錠前の主流になりつつある。
【０００９】
しかしながら、近年、後記特許文献１、２に記載された鍵の複製用具が提案され、かつ市販されている如くである。
【００１０】
この鍵の複製用具は、本出願人の製造販売に係る上記レバータンブラー錠用の鍵の複製用具である。
【００１１】
そして、この複製用具を用いると、鍵を紛失したり鍵を室内に置き忘れたまま施錠した場合に簡単に鍵の複製ができる、という効果をうたってはいるが、これを犯罪者が手にすれば、不正解錠が容易になる、換言すれば公序良俗に反する器具になる。
【特許文献１】特開２００３−２２６８３３公報
【特許文献２】登録実用新案第３０６３９９０号公報
【考案の開示】
【００１２】
そこで、上記特許文献２に記載の鍵の複製用具によって鍵違いを探られないように騙し穴を形成したシリンダ錠が開発されシリンダ錠の安全性を高めたものが知られている。
【００１３】
本考案の目的は、騙し穴をレバータンブラーに形成したシリンダ錠の鍵の複製用具を提供することである。
【００１４】
すなわち、本考案は、前記各レバータンブラーの付勢方向を調べる第１器具と、前記各レバータンブラーのうち第１および第２方向に付勢された第１および第２タンブラー群を群ごとに円周方向に蹴る第２器具と、前記第２器具で蹴られていない側のレバータンブラーを予め設定された複数段階に回転させて当該レバータンブラーの位置を確定するための第３器具と、前記第３器具を挿入した状態で、前記解錠切欠および騙し穴に入り込むプローブとを備えている。
【実施例１】
【００１５】
以下、本考案の一実施例を図面にしたがって説明する。
図２において符号１１はレバータンブラーを示し、このレバータンブラー１１の、円周方向において解錠切欠９とは異なる角度位置で、内筒半径方向において自由端部の中間の部分に騙し穴１９が透設されている。
【００１６】
また、図２に示す実施例においては、騙し穴１９の内筒半径方向において外側の開口端縁に、タンブラーの自由端部外側端縁に連通し、ロッキングバー６の幅より狭い幅の騙し溝２１が連設されている。
【００１７】
上記のように構成されたシリンダ錠は、図２（ａ）、（ｂ）に示すように先端をＬ字形に曲げた細いパイプ２２を鍵孔４内に差込み、パイプ２２を通して薄平の細線を仕切板３に押圧するようにして繰り出し、次いでパイプ２２を回して細線材２３をタンブラーと仕切板との間に隙間に差し込むと共に解錠切欠９の一を検知しようとしても、騙し穴１９を解錠切欠９と誤認するので、完全な合鍵を得ることができない。なお、ここで合鍵とはスペアキーをいうものとする。
【００１８】
騙し穴１９を解錠切欠９と誤認して合鍵を作ると、ロッキングバー６が完全にはカム溝１から脱出することができず、したがってシリンダ錠を解錠できない。
【００１９】
また、図２に示すように騙し溝２１を騙し穴１９に連設すると、偏平の細線をタンブラー１１の自由端部外側端縁に沿って摺接して解錠切欠９の在りかを捜す操作に対しても解錠切欠９の角度位置を誤認させる。
【００２０】
図３は第１治具３０を示す。
図４に示すように、レバータンブラー１１には、第１方向Ｒ１に付勢されたものと、第２方向Ｒ２に付勢されたものがある。図３の前記第１治具３０はレバータンブラー１１（１１Ｌ、１１Ｒ）の付勢方向を調べるためのもので、全ての錠に挿入可能なキーのような形状の本体３１にガイド溝３２を形成し、ガイド溝３２に案内される押し棒３３を包含する。
【００２１】
図４は第２器具４０および第３器具５０を示す。
第２器具４０は、全ての錠に挿入可能なキーの半体で網点を施して示す。この第２器具４０は左半体のものを示しており、図示しない右半体のものも用意する。左半体の第２器具４０は、板バネ１８のバネ力に抗して、第１方向Ｒ１に付勢された第１タンブラー１１Ｌを蹴る。
【００２２】
第３器具５０は全ての錠に挿入可能で、プローブ６０を装着する装着溝５１を有する。この第３器具５０は右半体のものを示しており、図示しない左半体のものも用意する。また、騙し穴１９の５種の角度位置に応じた幅Ｗを持つ５種類を用意する。したがって、第３器具５０は左右で合計１０種類用意する。
５種類の第３器具５０は、第２器具４０で蹴られていない側のレバータンブラー１１Ｒ（１１Ｌ）を複数段階に回転させてレバータンブラー１１Ｒの回転位置を確定させる。
【００２３】
前記第３器具５０には、図５の深さ調整金具５２が装着される。調整金具５２は断面がＣ字型のパイプで、第３器具５０の先端から第３器具５０にスライドして装着される。この調整金具５２はレバータンブラー１１を設けた鍵孔４の深さに応じた長さを持つもので、レバータンブラー１１の数よりも１つ少ない数だけ用意される。
【００２４】
プローブ６０は、Ｌ字型に曲がったパイプ２２内に先端がＬ字型の細く薄い細線材２３が挿入されてなる。前記細線材２３は、図２の騙し穴１９や解錠切欠９に入り込むことができる。
【００２５】
前記プローブ６０のパイプ２２は、第４器具７０のシリンダ７１に挿通されていると共に細線材２３の端部が操作ツマミ７２に固定されている。シリンダ７１とツマミ７２との間には、深さ指標７３が刻設されたガイドロッド７４が連結されている。また、プローブ６０のパイプ２２には、角度指標器７５が固着されている。
【００２６】
つぎに、本治具の用い方について説明する。
まず、図３の第１治具３０をシリンダ錠の鍵孔４に挿入する。この際、押し棒３３の先端のテーパ面３４は、レバータンブラー１１に当って止まらないように図に示すような姿勢に設定しておく。ついで、押し棒３３のを徐々に引き出し目盛り３５を見ながら、押し棒３３がレバータンブラー１１に当接する感触で、レバータンブラー１１が左側に付勢されているか、右側に付勢されているかを調べる。
【００２７】
その後、図５の第２器具４０と調整金具５２を装着した第３器具５０とを鍵孔４に挿入する。挿入後、図６のように操作ツマミ７２を約９０°回転させ、更に、図７のように操作ツマミ７２をシリンダ７１に向って押すと、パイプ２２と共に細線材２３が約９０°起き上り、更に、パイプ２２から細線材２３が湾曲状態で突出する。
【００２８】
ついで、操作ツマミ７２を引くと、細線材２３がレバータンブラー１１に引っ掛かる。この際、細線材２３が図２の騙し溝２１に係合すると操作ツマミ７２を引く量が小さく、一方、細線材２３が解錠切欠９に係合すると操作ツマミ７２を引く量が大きくなる。そのため、騙し穴１９と解錠切欠９とを識別することができる。
【００２９】
前記の操作を図５の調整金具５２の種類と図４の第３器具５０の幅Ｗの種類だけ行い、更に、第２器具４０を右半体に入れ換えて同様の操作を行うことで、全ての解錠切欠９の位置を知ることができる。
【産業上の利用可能性】
【００３０】
本考案はシリンダ錠の鍵を紛失した際に合鍵を作るときに用いることができる。
【図面の簡単な説明】
【００３１】
【図１】シリンダ錠の縦断面図である。
【図２】同横断面図および部分縦断面図である。
【図３】第１器具の平面図である。
【図４】シリンダ錠の一部を分解して示すと共に第２器具、第３器具、第４器具およびプローブを示す斜視図である。
【図５】検知方法を示す斜視図である。
【図６】検知方法を示す斜視図である。
【図７】検知方法を示す斜視図である。
【符号の説明】
【００３２】
１カム溝
２外筒
３仕切板
４鍵孔
５内筒
６ロッキングバー
７スロット
８バックアップピン
９解錠切欠
１１、１１Ｌ、１１Ｒレバータンブラー
１２支軸
１９騙し穴
２１騙し溝
３０第１器具
４０第２器具
５０第３器具
６０プローブ
【図１】
0003140537.tif 000003
【図２】
0003140537.tif 000004
【図３】
0003140537.tif 000005
【図４】
0003140537.tif 000006
【図５】
0003140537.tif 000007
【図６】
0003140537.tif 000008
【図７】
0003140537.tif 000009